(57)【特許請求の範囲】
【請求項１】
投入された硬貨を一時的に保留するための第１保留通路に対して進退移動する態様で揺動可能に配設され、前記第１保留通路に進出移動する場合には該第１保留通路にて硬貨を保留する一方、前記第１保留通路から退行移動する場合には該第１保留通路から硬貨を払い出す第１エスクロゲートと、
投入された硬貨を一時的に保留するための第２保留通路に対して進退移動する態様で揺動可能に配設され、前記第２保留通路に進出移動する場合には該第２保留通路にて硬貨を保留する一方、前記第２保留通路から退行移動する場合には該第２保留通路から硬貨を払い出す第２エスクロゲートと
を備えた硬貨処理装置において、
前記第１エスクロゲートに連係し、かつ駆動源からの駆動力が付与されることにより基準位置から変位可能に設けられ、常態においては基準位置に位置して前記第１エスクロゲートを前記第１保留通路に進出移動させる一方、駆動源からの駆動力が付与された場合には、基準位置から変位して前記第１エスクロゲートを前記第１保留通路から退行移動させるエスクロレバーと、
前記エスクロレバーと前記第２エスクロゲートとの間に介在し、前記第１保留通路に硬貨が存在しない場合には、前記エスクロレバーが前記第１エスクロゲートを退行移動させるのに連係して前記第２エスクロゲートを前記第２保留通路から退行移動させる一方、前記第１保留通路に硬貨が保留されている場合には、前記エスクロレバーが前記第１エスクロゲートを退行移動させるのに関係なく前記第２エスクロゲートを前記第２保留通路に進出移動した状態に維持する連係手段と
を備えたことを特徴とする硬貨処理装置。
【請求項２】
前記連係手段は、
前記第１保留通路に対して進退移動する態様で揺動可能に配設され、第１保留通路に硬貨が存在しない場合には、該第１保留通路に進出移動する一方、第１保留通路に硬貨が保留されている場合には、該硬貨の自重により該第１保留通路から退行移動する第１連係レバーと、
前記第１連係レバーが進出移動する場合には、前記エスクロレバーの基準位置からの変位により前記第２エスクロゲートに当接して該第２エスクロゲートを前記第２保留通路から退行移動させる一方、前記第１連係レバーが退行移動する場合には、前記エスクロレバーの基準位置からの変位によっても前記第２エスクロゲートに当接しないで該第２エスクロゲートを前記第２保留通路に進出移動した状態に維持する第２連係レバーと
を備えたことを特徴とする請求項１に記載の硬貨処理装置。
【発明の詳細な説明】
【技術分野】
【０００１】
本発明は、硬貨処理装置に関し、より詳細には、例えば自動販売機等に適用され、投入された硬貨を所望の保留通路に一時的に保留するエスクロ機能を有する硬貨処理装置に関するものである。
【背景技術】
【０００２】
従来、例えば自動販売機等に適用される硬貨処理装置として、例えば５００円硬貨や１００円硬貨等の高額硬貨が投入された場合、その硬貨を釣銭保管部に導かずに一時保留しておき、返却指令が与えられた場合には、その一時保留した硬貨をそのまま返却するエスクロ機能を有するものが知られている。
【０００３】
このような硬貨処理装置では、高額硬貨の金種毎に一時保留を行うための保留通路が設けられているとともに、保留通路毎に該保留通路に対して進退移動可能なエスクロゲートが設けられている。各エスクロゲートは、対応する保留通路に進出移動する場合には該保留通路にて硬貨を保留する一方、該保留通路から退行移動する場合には該保留通路から硬貨を払い出すものである。そして、上記硬貨処理装置では、エスクロゲートの動作はそれぞれ個別に行われるため、各エスクロゲートに対して該エスクロゲートを動作させるための駆動源となるソレノイドが設けられていた（例えば、特許文献１参照）。
【先行技術文献】
【特許文献】
【０００４】
【特許文献１】特開２００９−２５２００７号公報
【発明の概要】
【発明が解決しようとする課題】
【０００５】
ところが、上述したような特許文献１に提案されている硬貨処理装置では、エスクロゲートを動作させるためのソレノイドがエスクロゲート毎に設けられているので、部品点数が増大し、結果的にコストの増大化を招来していた。
【０００６】
本発明は、上記実情に鑑みて、部品点数を削減してコストの低減化を図ることができる硬貨処理装置を提供することを目的とする。
【課題を解決するための手段】
【０００７】
上記目的を達成するために、本発明の請求項１に係る硬貨処理装置は、投入された硬貨を一時的に保留するための第１保留通路に対して進退移動する態様で揺動可能に配設され、前記第１保留通路に進出移動する場合には該第１保留通路にて硬貨を保留する一方、前記第１保留通路から退行移動する場合には該第１保留通路から硬貨を払い出す第１エスクロゲートと、投入された硬貨を一時的に保留するための第２保留通路に対して進退移動する態様で揺動可能に配設され、前記第２保留通路に進出移動する場合には該第２保留通路にて硬貨を保留する一方、前記第２保留通路から退行移動する場合には該第２保留通路から硬貨を払い出す第２エスクロゲートとを備えた硬貨処理装置において、前記第１エスクロゲートに連係し、かつ駆動源からの駆動力が付与されることにより基準位置から変位可能に設けられ、常態においては基準位置に位置して前記第１エスクロゲートを前記第１保留通路に進出移動させる一方、駆動源からの駆動力が付与された場合には、基準位置から変位して前記第１エスクロゲートを前記第１保留通路から退行移動させるエスクロレバーと、前記エスクロレバーと前記第２エスクロゲートとの間に介在し、前記第１保留通路に硬貨が存在しない場合には、前記エスクロレバーが前記第１エスクロゲートを退行移動させるのに連係して前記第２エスクロゲートを前記第２保留通路から退行移動させる一方、前記第１保留通路に硬貨が保留されている場合には、前記エスクロレバーが前記第１エスクロゲートを退行移動させるのに関係なく前記第２エスクロゲートを前記第２保留通路に進出移動した状態に維持する連係手段とを備えたことを特徴とする。
【０００８】
また、本発明の請求項２に係る硬貨処理装置は、上述した請求項１において、前記連係手段は、前記第１保留通路に対して進退移動する態様で揺動可能に配設され、第１保留通路に硬貨が存在しない場合には、該第１保留通路に進出移動する一方、第１保留通路に硬貨が保留されている場合には、該硬貨の自重により該第１保留通路から退行移動する第１連係レバーと、前記第１連係レバーが進出移動する場合には、前記エスクロレバーの基準位置からの変位により前記第２エスクロゲートに当接して該第２エスクロゲートを前記第２保留通路から退行移動させる一方、前記第１連係レバーが退行移動する場合には、前記エスクロレバーの基準位置からの変位によっても前記第２エスクロゲートに当接しないで該第２エスクロゲートを前記第２保留通路に進出移動した状態に維持する第２連係レバーとを備えたことを特徴とする。
【発明の効果】
【０００９】
本発明の硬貨処理装置によれば、エスクロレバーが、常態においては基準位置に位置して第１エスクロゲートを第１保留通路に進出移動させる一方、駆動源からの駆動力が付与された場合には、基準位置から変位して第１エスクロゲートを第１保留通路から退行移動させ、連係手段が、第１保留通路に硬貨が存在しない場合には、エスクロレバーが第１エスクロゲートを退行移動させるのに連係して第２エスクロゲートを第２保留通路から退行移動させる一方、第１保留通路に硬貨が保留されている場合には、エスクロレバーが第１エスクロゲートを退行移動させるのに関係なく第２エスクロゲートを第２保留通路に進出移動した状態に維持するので、従来のようにエスクロゲート毎にソレノイドを要しなくても単一の駆動源で一時的に保留する硬貨を良好に払い出すことができ、部品点数を削減することができる。従って、部品点数を削減してコストの低減化を図ることができるという効果を奏する。
【図面の簡単な説明】
【００１０】
【図１】図１は、本発明の実施の形態である硬貨処理装置の外観構成を示す正面図である。
【図２】図２は、図１に示した判定部を構成する一時保留部の要部の概略構成を正面側から見た場合を示す斜視図である。
【図３】図３は、図１に示した判定部を構成する一時保留部の要部の概略構成を背面側から見た場合を示す斜視図である。
【図４】図４は、図１に示した判定部を構成する一時保留部の要部の概略構成を背面側から見た場合を示す斜視図である。
【図５】図５は、図３及び図４に示すエスクロレバーを背面側から拡大して示す斜視図である。
【図６】図６は、一時保留部を正面から見た場合を示す概略正面図であり、第１保留通路に５００円硬貨が存在しない場合を示している。
【図７】図７は、図６におけるＡ−Ａ線断面図である。
【図８】図８は、一時保留部を正面から見た場合を示す概略正面図であり、第１保留通路に５００円硬貨が保留されている場合を示している。
【図９】図９は、図８におけるＢ−Ｂ線断面図である。
【図１０】図１０は、図１に示した判定部を構成する一時保留部の要部の概略構成を背面側から見た場合を示す斜視図である。
【図１１】図１１は、図１に示した判定部を構成する一時保留部の要部の概略構成を背面側から見た場合を示す斜視図である。
【図１２】図１２は、図１に示した判定部を構成する一時保留部の要部の概略構成を背面側から見た場合を示す斜視図である。
【図１３】図１３は、図１に示した判定部を構成する一時保留部の要部の概略構成を背面側から見た場合を示す斜視図である。
【発明を実施するための形態】
【００１１】
以下に添付図面を参照して、本発明に係る硬貨処理装置の好適な実施の形態について詳細に説明する。
【００１２】
図１は、本発明の実施の形態である硬貨処理装置の外観構成を示す正面図である。ここで例示する硬貨処理装置は、例えば缶入り飲料やペットボトル入り飲料等を販売する自動販売機に適用されるものであり、ケーブルＣを通じて該自動販売機と電気的に接続してあり、自動販売機側から必要な信号や電力を受け取ることが可能なものである。
【００１３】
このような硬貨処理装置は、装置本体１０の上部に形成された投入口１１より自動販売機に投入された硬貨を受け入れるよう構成してあり、操作部１２、判定部１３、硬貨保持部１４及び硬貨払出部１５を備えている。
【００１４】
操作部１２は、装置本体１０の正面上部に設けてあり、収納された硬貨に関する情報を表示するモニタランプや硬貨の判別や払い出しに関する設定操作用のボタンを有している。
【００１５】
判定部１３は、装置本体１０の正面中央部に設けてあり、投入された硬貨の金種判別、真偽判定等を行うものであり、判定結果に応じて硬貨保持部１４を構成する釣銭チューブ（図示せず）等に硬貨を振り分けて導く硬貨通路等も有している。かかる判定部１３は、例えば５００円硬貨や１００円硬貨を一時的に保留する一時保留部１７（図２参照）を有している。
【００１６】
硬貨保持部１４は、装置本体１０の正面下部に設けてあり、金銭毎に硬貨を積み重ねた状態で収納する複数（例えば５つ）の釣銭チューブを有している。各釣銭チューブには、図には明示しないが、収納された硬貨が満杯状態であるか否かを検知する満杯検知センサ、空になったか否かを検知する釣銭無センサ等が配置してある。
【００１７】
硬貨払出部１５は、硬貨保持部１４の下部に設けてある。この硬貨払出部１５は、複数の釣銭チューブから任意のものを選択して、装置本体１０の下部の払出口１６から所定金額の釣銭を払い出すためのものである。
【００１８】
図２〜図４は、それぞれ図１に示した判定部１３を構成する一時保留部１７の要部の概略構成を示すものであり、図２は、正面側から見た場合を示す斜視図であり、図３は、背面側から見た場合を示す斜視図であり、図４は、図３の要部を異なる角度から見た場合を示す斜視図である。ここで例示する一時保留部１７は、２つの保留通路２１，２２、エスクロレバー３０、第１エスクロゲート４０、第２エスクロゲート５０、ストッパ６０及び連係ユニット（連係手段）７０を備えて構成してある。
【００１９】
２つの保留通路２１，２２は、ともに上下方向に沿って延在しており、互いに左右に並ぶよう設けてある。以下においては、右側の通路を５００円硬貨用の第１保留通路２１とし、左側の通路を１００円硬貨用の第２保留通路２２として説明する。これら第１保留通路２１及び第２保留通路２２は、それぞれ対象となる硬貨を複数枚（例えば４枚）一時保留することが可能な延在長さを有している。また、これら第１保留通路２１及び第２保留通路２２のそれぞれの下方域には、図には明示しない振分機構が設けてある。振分機構は、対応する保留通路２１，２２から払い出された硬貨を硬貨保持部１４（釣銭チューブ）、自動販売機の硬貨返却口、あるいは金庫に振り分けるものである。尚、図２及び図３中の符号２３はカバーであり、第１保留通路２１及び第２保留通路２２の正面側を覆うものである。
【００２０】
エスクロレバー３０は、保留通路２１，２２を構成する通路形成板２０の背面側において、第１保留通路２１及び第２保留通路２２に跨る態様で配設してある。このエスクロレバー３０は、連結部材３１を介してソレノイド（駆動源）３２に連結してあり、常態においては、図３及び図４に示すように基準位置に位置する一方、ソレノイド３２が励磁された場合には、連結部材３１を介してソレノイド３２に引っ張られて上方に向けて変位するものである。つまり、エスクロレバー３０は、ソレノイド３２が励磁した場合には、基準位置から上方に向けて変位する一方、ソレノイド３２の励磁が終了した場合には、変位した位置から基準位置に下方に向けて変位するものである。
【００２１】
図５は、図３及び図４に示すエスクロレバー３０を背面側から拡大して示す斜視図である。ここで例示するエスクロレバー３０は、板状部材を屈曲させて形成したものであり、左右一対の側板３３，３４と、これら両側板３３，３４の上端縁部を連結する天板３５とを備えて構成してある。天板３５には、その中央部に前後方向が長手方向となる長尺状溝部３５１が形成してある。かかる長尺状溝部３５１は、後端部分が開放してあり、上記連結部材３１が後方側から進入するのを許容するものである。
【００２２】
右側板３３には、第１挿通孔３３１、支持孔３３２及び規制孔３３３が形成してある。第１挿通孔３３１は、前後方向が長手方向となり、かつ後方に向かうに連れて漸次上方に傾斜するものである。支持孔３３２は、第１挿通孔３３１よりも下方側において形成してあり、前後方向が長手方向となるものである。この支持孔３３２は、前方側に比べて後方側の上下幅が狭くなっている。
【００２３】
規制孔３３３は、支持孔３３２よりも下方側において形成してあり、上下方向が長手方向となる第１規制開口部３３３ａと、この第１規制開口部３３３ａに連続する態様で該第１規制開口部３３３ａの上部から後方側に向けて延在する第２規制開口部３３３ｂとにより構成してある。この規制孔３３３は、その上端縁部が後方に向かうに連れて漸次上方に延在するよう湾曲状に形成してある。
【００２４】
左側板３４には、第２挿通孔３４１及び連係孔３４２が形成してある。第２挿通孔３４１は、第１挿通孔３３１と同様に、前後方向が長手方向となり、かつ後方に向かうに連れて漸次上方に傾斜するものである。この第２挿通孔３４１は、第１挿通孔３３１に対向する個所よりもやや下方側に形成してある。
【００２５】
連係孔３４２は、上下方向が長手方向となる第１連係開口部３４２ａと、この第１開口部に連続する態様で該第１連係開口部３４２ａの上部から前方側に向けて延在する第２連係開口部３４２ｂとにより構成してある。
【００２６】
また、左側板３４には、第１連係開口部３４２ａの前側開口縁部及び後側開口縁部より右方に向けて突出する前後一対の舌片状の支持片３４３が設けてある。これら一対の支持片３４３には、それぞれ貫通孔３４４が形成してある。
【００２７】
第１エスクロゲート４０は、図４に示すように、平板状の基部４１と、基部４１の下端縁部より右方に向けて延在する平板状の右延部４２とを備えて構成してある。基部４１は、自身の右側面から右方に突出する軸部（図示せず）が通路形成板２０の背面より後方に向けて突出する第１ゲート支持片２０ａ（図１２参照）の図示せぬ孔部に挿入してある一方、自身の左側面から左方に向けて突出する支持突起４１１（図１１参照）がエスクロレバー３０の右側板３３に形成された支持孔３３２に挿通してある。右延部４２の先端面には、前方に向けて突出する２つのロッド状の第１ゲート突部４２１が形成してある。これら第１ゲート突部４２１は、通路形成板２０に形成された矩形状の第１ゲート孔２０ｂに進入可能になっている。
【００２８】
このような第１エスクロゲート４０は、図３及び図４に示すようにエスクロレバー３０が基準位置に位置する場合には、右延部４２の第１ゲート突部４２１がそれぞれ第１ゲート孔２０ｂを貫通して第１保留通路２１に進出移動することになる。これにより第１保留通路２１に進入した５００円硬貨のうち最下位の硬貨は第１ゲート突部４２１に当接されて該第１保留通路２１に保留される。その一方、詳細は後述するがエスクロレバー３０が、ソレノイド３２が励磁されることにより上方に向けて変位する場合には、該エスクロレバー３０の支持孔３３２に支持突起４１１が挿通しているので、軸部の軸心回りに後方側に向けて揺動し、これにより第１ゲート突部４２１が第１保留通路２１から退行移動することになる。これにより第１保留通路２１に進入した５００円硬貨を下方に払い出すことができる。
【００２９】
つまり、第１エスクロゲート４０は、第１保留通路２１に対して進退移動する態様で揺動可能に配設され、第１保留通路２１に進出移動する場合には該第１保留通路２１にて５００円硬貨を保留する一方、第１保留通路２１から退行移動する場合には該第１保留通路２１から５００円硬貨を払い出すものである。
【００３０】
第２エスクロゲート５０は、平板状の基部５１と、基部５１の下端縁部より左方に向けて延在する平板状の左延部５２とを備えて構成してある。基部５１は、自身の左側面から左方に突出する軸部（図示せず）が通路形成板２０の背面より後方に向けて突出する第２ゲート支持片２０ｃの図示せぬ孔部に挿入してある一方、自身の右側面から右方に向けて突出する支持突起５１１（図１２参照）がエスクロレバー３０の左側板３４に形成された連係孔３４２に進入している。左延部５２の先端面には、前方に向けて突出する２つのロッド状の第２ゲート突部５２１が形成してある。これら第２ゲート突部５２１は、通路形成板２０に形成された矩形状の第２ゲート孔２０ｄに進入可能になっている。
【００３１】
このような第２エスクロゲート５０は、軸部の軸心回りに揺動可能に設けてあり、常態においては、図３及び図４に示すように左延部５２の第２ゲート突部５２１がそれぞれ第２ゲート孔２０ｄを貫通して第２保留通路２２に進出移動している。これにより第２保留通路２２に進入した１００円硬貨のうち最下位の硬貨は第２ゲート突部５２１に当接されて該第２保留通路２２に保留される。その一方、詳細は後述するが第２エスクロゲート５０が自身の軸部の軸心回りに後方側に向けて揺動すると、第２ゲート突部５２１が第２保留通路２２から退行移動することになる。これにより第２保留通路２２に進入した１００円硬貨を下方に払い出すことができる。
【００３２】
つまり、第２エスクロゲート５０は、第２保留通路２２に対して進退移動する態様で揺動可能に配設され、第２保留通路２２に進出移動する場合には該第２保留通路２２にて１００円硬貨を保留する一方、第２保留通路２２から退行移動する場合には該第２保留通路２２から１００円硬貨を払い出すものである。
【００３３】
ストッパ６０は、中央部が屈曲した長尺状部材であり、その両端部が第１挿通孔３３１及び第２挿通孔３４１に挿通してエスクロレバー３０に架設してある。このストッパ６０の前面には、前方に突出する２つのストッパ突部６１，６２が形成してある。これら２つのストッパ突部６１，６２のうち右側の第１ストッパ突部６１は、通路形成板２０に形成された第１ストッパ孔２０ｅを通じて第１保留通路２１に進入可能となっており、左側の第２ストッパ突部６２は、通路形成板２０に形成された第２ストッパ孔２０ｆを通じて第２保留通路２２に進入可能となっている。
【００３４】
より詳細に説明すると、第１ストッパ突部６１は、図３及び図４に示すようにエスクロレバー３０が基準位置に位置する場合には、第１ストッパ孔２０ｅに進入しているものの第１保留通路２１には進出していない。その一方、詳細は後述するがエスクロレバー３０が、ソレノイド３２が励磁されることにより上方に向けて変位する場合には、該エスクロレバー３０の第１挿通孔３３１及び第２挿通孔３４１の形態によりストッパ６０が前方に向けて移動することとなり、これにより第１ストッパ突部６１が第１ストッパ孔２０ｅを貫通して第１保留通路２１に進出する。これにより第１ストッパ突部６１が第１保留通路２１に進入した５００円硬貨のうち最下位から２番目の５００円硬貨に当接して、第１保留通路２１における該硬貨以上の硬貨が下方に払い出されることを規制することができる。
【００３５】
第２ストッパ突部６２は、図３及び図４に示すようにエスクロレバー３０が基準位置に位置する場合には、第２ストッパ孔２０ｆに進入しているものの第２保留通路２２には進出していない。その一方、詳細は後述するがエスクロレバー３０が、ソレノイド３２が励磁されることにより上方に向けて変位する場合には、該エスクロレバー３０の第１挿通孔３３１及び第２挿通孔３４１の形態によりストッパ６０が前方に向けて移動することとなり、これにより第２ストッパ突部６２が第２ストッパ孔２０ｆを貫通して第２保留通路２２に進出する。これにより第２ストッパ突部６２が第２保留通路２２に進入した１００円硬貨のうち最下位から２番目の１００円硬貨に当接して、第２保留通路２２における該硬貨以上の硬貨が下方に払い出されることを規制することができる。
【００３６】
連係ユニット７０は、第１連係レバー７１と第２連係レバー７２とを備えて構成してある。第１連係レバー７１は、上下方向に沿って延在する基体部７１１と、この基体部７１１の前面より前方に突出するロッド状の前延突出部７１２と、該基体部７１１の後面より後方に突出する２つのロッド状の後延突出部７１３とが一体的に形成されてなるものである。
【００３７】
基体部７１１は、自身の左側面から左方に突出する軸部（図示せず）が通路形成板２０の背面より後方に向けて突出するレバー支持片２０ｇの図示せぬ孔部に挿入してある一方、自身の右側面から右方に突出する係止突起７１１ａがエスクロレバー３０の規制孔３３３に挿通してある。
【００３８】
前延突出部７１２は、通路形成板２０に形成された上下方向が長手方向となる長孔２０ｈを貫通しており、その前端部分が第１保留通路２１に進出している。
【００３９】
第２連係レバー７２は、左右方向に沿って延在する棒状体であり、自身の中央部において前方側及び後方側に突出する支持突部７２１がそれぞれエスクロレバー３０における一対の支持片３４３の貫通孔３４４に貫通して該支持突部７２１の軸心回りに揺動可能となっている。このような第２連係レバー７２の右端部は、第１連係レバー７１の２つの後延突出部７１３の間に介在しており、その左端部は、エスクロレバー３０の連係孔３４２に進入している。
【００４０】
図６は、一時保留部１７を正面から見た場合を示す概略正面図であり、第１保留通路２１に５００円硬貨が存在しない場合を示している。図７は、図６におけるＡ−Ａ線断面図である。図８は、一時保留部１７を正面から見た場合を示す概略正面図であり、第１保留通路２１に５００円硬貨が保留されている場合を示している。図９は、図８におけるＢ−Ｂ線断面図である。これら図６〜図９を適宜用いて連係ユニット７０の作用について説明する。尚、この場合においては、エスクロレバー３０が基準位置に位置しており、第１エスクロゲート４０が第１保留通路２１に進出移動し、かつ第２エスクロゲート５０が第２保留通路２２に進出移動しているものとする。
【００４１】
図６及び図７に示すように、第１保留通路２１に５００円硬貨が存在しない場合には、前延突出部７１２が通路形成板２０の長孔２０ｈを貫通する第１連係レバー７１は、基準姿勢となる。このように第１連係レバー７１が基準姿勢となる場合には、図４にも示すように、第２連係レバー７２は、左右方向に沿って水平に延在した基準姿勢となる。
【００４２】
その一方、図８及び図９に示すように、第１保留通路２１に５００円硬貨が保留されている場合には、該５００円硬貨の自重により第１連係レバー７１は、軸部の軸心回りに後方側に向けて揺動した傾斜姿勢となる。
【００４３】
つまり、第１連係レバー７１は、第１保留通路２１に対して進退移動する態様で揺動可能に配設され、第１保留通路２１に５００円硬貨が存在しない場合には、該第１保留通路２１に進出移動する一方、第１保留通路２１に５００円硬貨が保留されている場合には、該硬貨の自重により該第１保留通路２１から退行移動するものである。
【００４４】
このように第１連係レバー７１が傾斜姿勢となる場合には、図１０に示すように、第２連係レバー７２も傾斜姿勢となる。すなわち、第２連係レバー７２は、右端部が第１連係レバー７１の下側の後延突出部７１３に当接されて支持突部７２１の軸心回りに揺動し、右端部が高位となり、かつ左端部が低位となる傾斜姿勢となる。
【００４５】
以上のような硬貨処理装置においては、次のようにして一時保留部１７に保留する硬貨を払い出すことができる。
【００４６】
まず、図６に示したように第１保留通路２１に５００円硬貨が存在せず、かつ第２保留通路２２に１００円硬貨が保留されている場合について説明する。このような場合においては、連係ユニット７０を構成する第１連係レバー７１及び第２連係レバー７２はともに基準姿勢となっている。そして、払出指令が与えられることによりソレノイド３２が励磁されると、エスクロレバー３０が連結部材３１を介して引っ張られて基準位置から上方に向けて変位する。
【００４７】
このようにエスクロレバー３０が上方に向けて変位することにより、ストッパ６０、第１エスクロゲート４０及び第２エスクロゲート５０は、次のように動作する。
【００４８】
ストッパ６０は、第１挿通孔３３１及びび第２挿通孔３４１の形態により前方に向けて移動する。これにより第１ストッパ突部６１が第１ストッパ孔２０ｅを貫通して第１保留通路２１に進出するとともに、第２ストッパ突部６２が第２ストッパ孔２０ｆを貫通して第２保留通路２２に進出する。この結果、第２保留通路２２に保留される１００円硬貨のうち最下位から２番目の１００円硬貨に当接して、第２保留通路２２における該硬貨以上の硬貨が下方に払い出されることを規制することができる。
【００４９】
第１エスクロゲート４０は、エスクロレバー３０の支持孔３３２に自身の支持突起４１１が挿通しているので、図１１及び図１２に示すように軸部の軸心回りに後方側に向けて揺動し、これにより第１ゲート突部４２１が第１保留通路２１から退行移動する。
【００５０】
ここで連係ユニット７０においては第１連係レバー７１及び第２連係レバー７２はともに基準姿勢となっており、エスクロレバー３０が上方に向けて変位することで、図１１に示すように第１連係レバー７１の係止突起７１１ａが規制孔３３３の第１規制開口部３３３ａに進入し、該係止突起７１１ａが第１規制開口部３３３ａの後端縁部に当接することで、第１連係レバー７１が軸部の軸心回りに揺動することが規制される。これにより第２連係レバー７２は、右端部が第１連係レバー７１の２つの後延突出部７１３間に介在するので、該第２連係レバー７２の揺動範囲もこれら後延突出部７１３により規制される。
【００５１】
そして、連係孔３４２に進入する第２連係レバー７２の左端部が該連係孔３４２に進入している第２エスクロゲート５０の支持突起５１１に下方から当接することで、第２エスクロゲート５０は、図１１及び図１２に示すように軸部の軸心回りに後方側に向けて揺動し、これにより第２ゲート突部５２１が第２保留通路２２から退行移動する。
【００５２】
これにより、第２保留通路２２に保留された１００円硬貨のうち最下位のものを下方に払い出すことができる。
【００５３】
次に、図８に示したように第１保留通路２１に５００円硬貨が保留され、かつ第２保留通路２２に１００円硬貨が保留されている場合について説明する。このような場合においては、連係ユニット７０を構成する第１連係レバー７１及び第２連係レバー７２はともに傾斜姿勢となっている（図１０参照）。
【００５４】
そして、払出指令が与えられることによりソレノイド３２が励磁されると、エスクロレバー３０が連結部材３１を介して引っ張られて基準位置から上方に向けて変位する。
【００５５】
このようにエスクロレバー３０が上方に向けて変位することにより、ストッパ６０、第１エスクロゲート４０及び第２エスクロゲート５０は、次のように動作する。
【００５６】
ストッパ６０は、第１挿通孔３３１及びび第２挿通孔３４１の形態により前方に向けて移動する。これにより第１ストッパ突部６１が第１ストッパ孔２０ｅを貫通して第１保留通路２１に進出するとともに、第２ストッパ突部６２が第２ストッパ孔２０ｆを貫通して第２保留通路２２に進出する。この結果、第１保留通路２１に保留される５００円硬貨のうち最下位から２番目の５００円硬貨に当接して、第１保留通路２１における該硬貨以上の硬貨が下方に払い出されることを規制することができるとともに、第２保留通路２２に保留される１００円硬貨のうち最下位から２番目の１００円硬貨に当接して、第２保留通路２２における該硬貨以上の硬貨が下方に払い出されることを規制することができる。
【００５７】
第１エスクロゲート４０は、エスクロレバー３０の支持孔３３２に自身の支持突起４１１が挿通しているので、図１３に示すように軸部の軸心回りに後方側に向けて揺動し、これにより第１ゲート突部４２１が第１保留通路２１から退行移動する。
【００５８】
ここで連係ユニット７０においては第１連係レバー７１及び第２連係レバー７２はともに傾斜姿勢となっており、第２連係レバー７２の左端部は、連係孔３４２の第１連係開口部３４２ａの下方側に位置している。そのため、エスクロレバー３０が上方に向けて変位しても第２連係レバー７２の左端部が該連係孔３４２に進入している第２エスクロゲート５０の支持突起５１１に当接しない。しかも、かかる第２エスクロゲート５０の支持突起５１１が連係孔３４２の第１連係開口部３４２ａを相対的に下方に向けて移動することになるので、第２エスクロゲート５０は、図１３に示すように、第２ゲート突部５２１がそれぞれ第２ゲート孔２０ｄを貫通して第２保留通路２２に進出移動した状態を保持する。
【００５９】
これにより、第１保留通路２１に保留された５００円硬貨のうち最下位のものだけを下方に払い出すことができ、第２保留通路２２に保留された１００円硬貨が払い出されることはない。つまり、５００円硬貨が優先的に払い出されることになり、第１保留通路２１に保留された５００円硬貨がすべて払い出されない限り、第２保留通路２２に保留された１００円硬貨が払い出されることはない。
【００６０】
このようにエスクロレバー３０は、第１エスクロゲート４０に連係し、かつソレノイド３２が励磁されることにより基準位置から変位可能に設けられ、常態においては基準位置に位置して第１エスクロゲート４０を第１保留通路２１に進出移動させる一方、ソレノイド３２が励磁される場合には、基準位置から変位して第１エスクロゲート４０を第１保留通路２１から退行移動させるものである。
【００６１】
また、連係ユニット７０は、エスクロレバー３０と第２エスクロゲート５０との間に介在し、第１保留通路２１に５００円硬貨が存在しない場合には、エスクロレバー３０が第１エスクロゲート４０を退行移動させるのに連係して第２エスクロゲート５０を第２保留通路２２から退行移動させる一方、第１保留通路２１に５００円硬貨が保留されている場合には、エスクロレバー３０が第１エスクロゲート４０を退行移動させるのに関係なく第２エスクロゲート５０を第２保留通路２２に進出移動した状態に維持するものである。
【００６２】
以上説明したように、本実施の形態である硬貨処理装置によれば、エスクロレバー３０が、常態においては基準位置に位置して第１エスクロゲート４０を第１保留通路２１に進出移動させる一方、ソレノイド３２が励磁される場合には、基準位置から変位して第１エスクロゲート４０を第１保留通路２１から退行移動させ、連係ユニット７０が、第１保留通路２１に５００円硬貨が存在しない場合には、エスクロレバー３０が第１エスクロゲート４０を退行移動させるのに連係して第２エスクロゲート５０を第２保留通路２２から退行移動させる一方、第１保留通路２１に５００円硬貨が保留されている場合には、エスクロレバー３０が第１エスクロゲート４０を退行移動させるのに関係なく第２エスクロゲート５０を第２保留通路２２に進出移動した状態に維持するので、従来のようにエスクロゲート毎にソレノイドを要しなくても単一のソレノイド３２で一時的に保留する硬貨を良好に払い出すことができ、部品点数を削減することができる。従って、部品点数を削減してコストの低減化を図ることができる。
【００６３】
上記硬貨処理装置によれば、一のソレノイド３２のみで動作させることができるので、従来のように複数のソレノイドを要していたのに比して装置全体の質量を低減させることができる。
【００６４】
また、上記硬貨処理装置によれば、一のソレノイド３２のみで動作させることができるので、従来のように複数のソレノイドを要する場合に比して各種磁力が相互に影響してしまう虞れがない。
【産業上の利用可能性】
【００６５】
以上のように、本発明に係る硬貨処理装置は、例えば缶入り飲料やペットボトル入り飲料等を販売する自動販売機に有用である。
【符号の説明】
【００６６】
１０  装置本体
１３  判定部
１７  一時保留部
２１  第１保留通路
２２  第２保留通路
３０  エスクロレバー
３２  ソレノイド
３３１  挿通孔
３３２  支持孔
３３３  規制孔
３４１  挿通孔
３４２  連係孔
３４３  支持片
４０  第１エスクロゲート
４１  基部
４２  右延部
４２１  第１ゲート突部
５０  第２エスクロゲート
５１  基部
５２  左延部
５２１  第２ゲート突部
６０  ストッパ
７０  連係ユニット
７１  第１連係レバー
７１１  基体部
７１２  前延突出部
７１３  後延突出部
７２  第２連係レバー
【図１】
0005633378.tif 000002
【図２】
0005633378.tif 000003
【図３】
0005633378.tif 000004
【図４】
0005633378.tif 000005
【図５】
0005633378.tif 000006
【図６】
0005633378.tif 000007
【図７】
0005633378.tif 000008
【図８】
0005633378.tif 000009
【図９】
0005633378.tif 000010
【図１０】
0005633378.tif 000011
【図１１】
0005633378.tif 000012
【図１２】
0005633378.tif 000013
【図１３】
0005633378.tif 000014